(57)【要約】【課題】  赤外線通信にて一度に複数の対象機器にデータを送信可能な赤外線リモートコントロールシステムを提供する。【解決手段】  パソコン１からパソコン３−１〜３−５に送信する送信データ１００は携帯電話端末２に送信され、携帯電話端末２は送信データ１００にヘッダ部、設定した識別コード、ストップ部を追加し、赤外線リモコン機能から送信データ１１０として受光機４−１〜４−５に向けて発光する。受光機４−１〜４−５は送信データ１１０を受光すると、その送信データ１１０のコードの比較・判定を行い、その判定結果をＬＥＤ等の通知手段で外部に通知する。受光機４−１〜４−５は正しく受光できたと判断した送信データ１１０からヘッダ部、識別コード、ストップ部を除去し、送信データ１００に戻して複数のパソコン３−１〜３−５へと転送する。【選択図】      図１                                                  
2005080140.tif 000002
【特許請求の範囲】
【請求項１】
赤外線リモートコントロール機能を持つ携帯電話端末と、前記赤外線リモートコントロール機能からの赤外線を受光して送信データを受信する複数の受光機とを有し、前記赤外線リモートコントロール機能は前記受光機のフォーマットに合わせた送信データのコードを送信することを特徴とする赤外線リモートコントロールシステム。
【請求項２】
前記複数の受光機各々に接続された複数の機器を含み、前記赤外線リモートコントロール機能からの赤外線を前記複数の受光機が受光することで、前記複数の機器各々に前記送信データを一度に送信自在としたことを特徴とする請求項１記載の赤外線リモートコントロールシステム。
【請求項３】
前記赤外線リモートコントロール機能からの赤外線にて受光された前記送信データのコードの正常性を判定する判定手段と、前記判定手段の判定結果を外部に通知する通知手段とを前記受光機に含むことを特徴とする請求項１または請求項２記載の赤外線リモートコントロールシステム。
【請求項４】
前記通知手段は、ＬＥＤ（Ｌｉｇｈｔ  Ｅｍｉｔｔｉｎｇ  Ｄｉｏｄｅ）であることを特徴とする請求項３記載の赤外線リモートコントロールシステム。
【請求項５】
赤外線リモートコントロール機能を持つ携帯電話端末を含む赤外線リモートコントロールシステムに用いられる受光機であって、前記赤外線リモートコントロール機能から赤外線にて自機のフォーマットに合わせて送信される送信データのコードを受信する受信手段を有することを特徴とする受光機。
【請求項６】
前記赤外線リモートコントロール機能からの赤外線にて受光された前記送信データのコードの正常性を判定する判定手段と、前記判定手段の判定結果を外部に通知する通知手段とを含むことを特徴とする請求項５記載の受光機。
【請求項７】
前記通知手段は、ＬＥＤ（Ｌｉｇｈｔ  Ｅｍｉｔｔｉｎｇ  Ｄｉｏｄｅ）であることを特徴とする請求項６記載の受光機。
【請求項８】
予め配設された複数の受光機のフォーマットに合わせた送信データのコードを赤外線にて送信する赤外線リモートコントロール機能を有することを特徴とする携帯電話端末。
【請求項９】
前記赤外線リモートコントロール機能は、赤外線にて前記複数の受光機にそれぞれ接続された複数の機器各々に前記送信データを一度に送信自在としたことを特徴とする請求項８記載の携帯電話機。
【請求項１０】
赤外線リモートコントロール機能を持つ携帯電話端末を用いてワイヤレス操作を行うワイヤレス操作方法であって、
前記赤外線リモートコントロール機能からの赤外線を受光して送信データを受信する複数の受光機各々の側に、前記赤外線リモートコントロール機能から赤外線にて自機のフォーマットに合わせて送信される送信データのコードを受信するステップを有することを特徴とするワイヤレス操作方法。
【請求項１１】
前記複数の受光機各々に接続された複数の機器を含み、前記赤外線リモートコントロール機能からの赤外線を前記複数の受光機が受光することで、前記複数の機器各々に前記送信データを一度に送信自在としたことを特徴とする請求項１０記載のワイヤレス操作方法。
【請求項１２】
前記複数の受光機各々の側に、前記赤外線リモートコントロール機能からの赤外線にて受光された前記送信データのコードの正常性を判定するステップと、その判定結果を外部に通知するステップとを含むことを特徴とする請求項１０または請求項１１記載のワイヤレス操作方法。
【請求項１３】
前記判定結果を外部に通知するステップは、ＬＥＤ（Ｌｉｇｈｔ  Ｅｍｉｔｔｉｎｇ  Ｄｉｏｄｅ）を用いて前記判定結果を外部に通知することを特徴とする請求項１２記載のワイヤレス操作方法。
【発明の詳細な説明】
【技術分野】
【０００１】
本発明は赤外線リモートコントロールシステム、受光機、携帯電話端末及びそれに用いるワイヤレス操作方法に関し、特に赤外線リモートコントロール機能付き携帯電話端末によるワイヤレス操作方法に関する。
【背景技術】
【０００２】
近年、携帯電話端末においては、そのユーザ数が増加することで、ユーザが仕事や遊び等において、常に、携帯電話端末を手元に置いておくことが日常的となってきている。
【０００３】
また、最近では赤外線リモートコントロール機能付き携帯電話端末も登場してきており、携帯電話端末から数メートル先の受光部への赤外線送信が可能となっている。この場合、赤外線送信は楽曲の選択や個人認証、料金の支払い等、さまざまな形態で用いられている。
【０００４】
さらに、携帯電話端末では、それに搭載する無線または赤外線通信の機能によって、１台の携帯電話端末を使用して種別の異なる電子機器をリモートコントロールする方法も提案されている（例えば、特許文献１，２参照）。
【０００５】
【特許文献１】特開２００２−１４９５１２号公報
【特許文献１】特開２００３−１８６８１号公報
【発明の開示】
【発明が解決しようとする課題】
【０００６】
上述した従来の携帯電話端末では、無線通信機能を搭載して種別の異なる電子機器をリモートコントロールする場合であれば、複数の電子機器に対して同時に制御信号を渡すことができる。
【０００７】
しかしながら、赤外線通信機能を搭載して種別の異なる電子機器をリモートコントロールする場合には、通常、携帯電話端末とリモートコントロールの対象である電子機器とが一対一で対応しており、複数の電子機器に対して赤外線で制御信号を同時に渡すことは想定されていない。
【０００８】
そこで、本発明の目的は上記の問題点を解消し、赤外線通信にて一度に複数の対象機器にデータを送信することができる赤外線リモートコントロールシステム、受光機、携帯電話端末及びそれに用いるワイヤレス操作方法を提供することにある。
【課題を解決するための手段】
【０００９】
本発明による赤外線リモートコントロールシステムは、赤外線リモートコントロール機能を持つ携帯電話端末と、前記赤外線リモートコントロール機能からの赤外線を受光して送信データを受信する複数の受光機とを備え、前記赤外線リモートコントロール機能は前記受光機のフォーマットに合わせた送信データのコードを送信している。
【００１０】
本発明による受光機は、赤外線リモートコントロール機能を持つ携帯電話端末を含む赤外線リモートコントロールシステムに用いられる受光機であって、前記赤外線リモートコントロール機能から赤外線にて自機のフォーマットに合わせて送信される送信データのコードを受信する受信手段を備えている。
【００１１】
本発明による携帯電話端末は、予め配設された複数の受光機のフォーマットに合わせた送信データのコードを赤外線にて送信する赤外線リモートコントロール機能を備えている。
【００１２】
本発明によるワイヤレス操作方法は、赤外線リモートコントロール機能を持つ携帯電話端末を用いてワイヤレス操作を行うワイヤレス操作方法であって、
前記赤外線リモートコントロール機能からの赤外線を受光して送信データを受信する複数の受光機各々の側に、前記赤外線リモートコントロール機能から赤外線にて自機のフォーマットに合わせて送信される送信データのコードを受信するステップを備えている。
【００１３】
すなわち、本発明の赤外線リモートコントロールシステムは、赤外線リモートコントロール機能（以下、赤外線リモコン機能とする）を持つ携帯電話端末を使用し、赤外線通信で行っていたようなワイヤレス操作方法を赤外線リモコン機能で代用している。
【００１４】
赤外線通信においては、各メーカが製造する携帯電話端末各々が採用しているフォーマットに違いがあるため、フォーマットの統一がなされなければ、異なるフォーマット間での送信が不可能である。そのため、各メーカが製造する携帯電話端末各々においてはフォーマットの統合が必要になる。
【００１５】
この問題を解消するため、本発明の赤外線リモートコントロールシステムでは、携帯電話端末の赤外線リモコン機能でのワイヤレス送信の際に、その赤外線を受光する受光機のフォーマットに合わせた送信データのコードを送信することで、どのメーカで製造された携帯電話端末であっても、その端末から受光機への送信が可能となるため、赤外線通信を使用可能な携帯電話端末が拡大されることとなる。
【００１６】
また、本発明の赤外線リモートコントロールシステムでは、複数台並んでいる受光機に対して携帯電話端末の赤外線リモコン機能によるワイヤレス送信を行うことで、それら複数の受光機に接続された機器に、データや制御信号等を一度に送信することが可能となる。
【００１７】
さらに、本発明の赤外線リモートコントロールシステムでは、携帯電話端末の赤外線リモコン機能からの赤外線を受光する受光機に比較機能を設け、その比較結果をＬＥＤ（Ｌｉｇｈｔ  Ｅｍｉｔｔｉｎｇ  Ｄｉｏｄｅ）等の通知手段でユーザに知らせることによって、赤外線リモコン送信の精度をより高めることが可能となる。
【発明の効果】
【００１８】
本発明の赤外線リモートコントロールシステムは、以下に述べるような構成及び動作とすることで、赤外線通信のフォーマットを統一することなく、一度に複数の対象機器に対して少なくともデータや制御信号の送信を行うことができるという効果が得られる。
【００１９】
また、本発明の他の赤外線リモートコントロールシステムは、以下に述べるような構成及び動作とすることで、より確実な赤外線リモコン送信を行うことができ、正常に受光できたかどうかをユーザに知らせることができるという効果が得られる。
【発明を実施するための最良の形態】
【００２０】
次に、本発明の実施の形態について図面を参照して説明する。図１は本発明の実施の形態による赤外線リモートコントロールシステム（赤外線リモコンシステムとする）の構成例を示すブロック図である。図１において、本発明の実施の形態による赤外線リモコンシステムはパーソナルコンピュータ（以下、パソコンとする）１，３−１〜３−５と、パソコン１にケーブルにて接続可能でかつ赤外線リモートコントロール機能（以下、赤外線リモコン機能とする）（図示せず）を持つ携帯電話端末２と、複数のパソコン３−１〜３−５各々にケーブルにて接続可能な赤外線の受光機４−１〜４−５とから構成されている。
【００２１】
通常、パソコン１内のある情報を複数のパソコン３−１〜３−５に同時に送信させたい場合には、パソコン１から有線や無線にてパソコン３−１〜３−５に送信している。
【００２２】
本発明の実施の形態では、このパソコン１からパソコン３−１〜３−５に送信する送信データ１００を、例えばケーブルや赤外線通信等のパソコン１と携帯電話端末２との間で転送可能な通信方法で携帯電話端末２に送信する。この時、携帯電話端末２は送信データ１００を即座に受光機４−１〜４−５へ発光させて送信可能なように、携帯電話端末２の赤外線リモコン機能の設定を行っておく。
【００２３】
携帯電話端末２に転送された送信データ１００はその内部メモリ（図示せず）に一時保存され、ヘッダ部、設定した識別コード、ストップ部を送信データ１００に追加し、赤外線リモコン機能から送信データ１１０として受光機４−１〜４−５に向けて発光させて送信する。
【００２４】
受光機４−１〜４−５は携帯電話端末２から発光された送信データ１１０を受光すると、その送信データ１１０を内部メモリ（図示せず）に一時保存してコードの比較・判定を行う。この判定結果はＬＥＤ（Ｌｉｇｈｔ  Ｅｍｉｔｔｉｎｇ  Ｄｉｏｄｅ）等の通知手段で外部に通知される。
【００２５】
例えば、送信データ１１０を正しく受光できた場合にはＬＥＤを赤から青へと変化させ、送信データ１１０を正しく受光できなかった場合には、ＬＥＤを赤から緑へと変化させることで、ＬＥＤの色によって正しく受信できたかどうかをユーザに知らせることができる。
【００２６】
受光機４−１〜４−５は正しく受光できたと判断した送信データ１１０から携帯電話端末２で付加されたヘッダ部、識別コード、ストップ部を除去し、送信データ１００に戻して複数のパソコン３−１〜３−５へと転送する。
【００２７】
複数のパソコン３−１〜３−５は受光機３−１〜３−５から転送されたデータを受信すると、従来の有線や無線等でパソコン１から送信される送信データ１００を受取ったことになるため、通常の処理と同様に、赤外線通信にて送信データ１００の情報を取得することができる。
【００２８】
上記のように、パソコン１からの送信データ１００を複数のパソコン３−１〜３−５に同時に送信する場合、まず、事前準備として、ユーザは携帯電話端末２を用いて受信機４−１〜４−５に設定された同一の識別コードを入手する必要がある。この識別コードの入手は携帯電話端末２を使用するため、専用サイトから受光機４−１〜４−５の識別コードをダウンロードする等して簡単に入手することができる。
【００２９】
次に、パソコン１から携帯電話端末２へのデータ送信を可能にする必要があるが、これは携帯電話端末２の送信先が複数のパソコン３−１〜３５であるとすると、パソコン１に携帯電話端末２が送信先のように擬似的に認知させ、パソコン１から携帯電話端末２へとデータ送信を行わせることで可能となる。
【００３０】
よって、パソコン１においては、擬似的に携帯電話端末２を相手先であると認知させて送信する以外は、複数のパソコン３−１〜３−５へと通常送信する送信データ１００を送信するという通常動作が行われる。
【００３１】
上述したように、本発明の実施の形態では、携帯電話端末をワイヤレス機器の発光側として使用し、受光機との間とワイヤレス通信を行うことによって、一度に複数の対象機器に対してデータ送信を行うことができる。
【００３２】
また、本発明の実施の形態では、上記の方法を使用することによって、各携帯電話機毎に設定される赤外線通信のフォーマットを統一することなく、上記の赤外線通信に、様々なメーカの携帯電話端末が使用可能となる。
【００３３】
さらに、本発明の実施の形態では、上記の方法を使用し、受光機に比較機能を搭載し、その比較結果をＬＥＤ等の通知手段にて外部に通知することによって、より確実な赤外線リモコン送信を可能とし、正常に受光できたかどうかをＬＥＤの色の変化によってユーザに知らせることができる。
【実施例１】
【００３４】
次に、本発明の一実施例について説明する。本発明の一実施例による赤外線リモコンシステムは図１に示す本発明の実施の形態による赤外線リモコンシステムと同様の構成となっているので、その構成についての説明は省略する。
【００３５】
図２は本発明の一実施例による携帯電話端末の構成を示すブロック図である。図２において、携帯電話端末２はメモリ部２１と、変換部２２と、発光部２３とから構成されている。尚、携帯電話機２本来の機能については、本発明と直接関係しないので、その構成及び動作についての説明は省略する。
【００３６】
図３は本発明の一実施例による受光機の構成を示すブロック図である。図３において、受光機４は受光部４１と、メモリ部４２と、比較部４３と、ＬＥＤ部４４と、変換部４５と、送信部４６とから構成されている。尚、図１に示す受光機４−１〜４−５はこの受光機４と同様の構成となっている。
【００３７】
図４及び図５は図２の携帯電話端末２のディスプレイ（図示せず）上での設定画面の遷移図であり、図６は図３の受光機４の動作を示すフローチャートであり、図７は図２及び図３の送信データ１１０の構成を示す波形図である。これら図１〜図７を参照して本発明の一実施例による赤外線リモコンシステムについて説明する。
【００３８】
まず、全体の動作について説明すると、パソコン１のある情報を複数のパソコン３−１〜３−５に同じように送信する場合、通常、有線でパソコン１からパソコン３−１〜３−５に送信する送信データ１００を、携帯電話端末２に擬似的に送信できるようする。この場合には、例えばケーブルや赤外線通信等を用いてパソコン１と携帯電話端末２との間で転送可能な通信方法をとり、この転送可能な通信方法で携帯電話端末２に送信データ１００を送信する。
【００３９】
また、この時、携帯電話端末２は、図４及び図５に示すように、パソコン１からの送信データ１００を即座に受光機４−１〜４−５に発光して送信できるように、携帯電話端末２の設定を行っておく。
【００４０】
携帯電話端末２に転送された送信データ１００は、メモリ部２１に一時保存され、変換部２２を用いてヘッダ部、設定した識別コード、ストップ部を送信データ１００に追加し、例えばヘッダ部、設定した識別コード、送信データ１００、ストップ部の順序に並び替えを行って図７に示す送信データ１１０とし、その送信データ１１０を発光部２３に送って、発光部２３から受光機４−１〜４−５に発光して送信する。
【００４１】
受光機４−１〜４−５は携帯電話端末２から発光された送信データ１１０を受光部４１で受光すると、その送信データ１１０をメモリ部４２で一時保存し、比較部４３でコードの比較・判定を行う。
【００４２】
また、比較部４３での判定結果は、ＬＥＤ部４４を用いてユーザに通知される。例えば、ＬＥＤ部４４は送信データ１１０を正しく受光できた場合に赤から青へ変化し、送信データ１１０を正しく受光できなかった場合に赤から緑へ変化することで、送信データ１１０を正しく受信できたかどうかをユーザに知らせる。
【００４３】
比較部４３で正しく受光できたと判断された送信データ１１０は変換部４２に送られ、変換部４２にてヘッダ部、識別コード、送信データ１００、ストップ部で構成された送信データ１１０からヘッダ部、識別コード、ストップ部を削除して送信データ１００のみに変換し、送信部４６から複数のパソコン３−１〜３−５へ転送する。
【００４４】
複数のパソコン３−１〜３−５は受光機４−１〜４−５から転送されてきたデータを受信すると、従来の有線でパソコン１から送信されている送信データ１００を、受光機４−１〜４−５を通して受取ることとなるため、通常の処理で送信データ１００の情報を取得することができる。
【００４５】
上記の動作を行う際、まず、事前準備として、携帯電話端末２は受信機４−１〜４−５の同一の識別コードを入手することが必要である。受信機４−１〜４−５の識別コードの入手は、携帯電話端末２を使用するため、専用サイトから受光機４−１〜４−５の識別コードをダウンロードすること等によって簡単に入手することができる。
【００４６】
次に、パソコン１から携帯電話端末２へのデータ送信を可能にする必要がある。しかしながら、これは今回の例のように、送信先が複数のパソコン３−１〜３−５であるとすると、パソコン１に携帯電話端末２が送信先（複数のパソコン３−１〜３−５）であるかのように擬似的に認知させ、パソコン１から携帯電話端末２へ送信を行わせる。
【００４７】
したがって、パソコン１自体は携帯電話端末２を送信先であると擬似的に認知するので、携帯電話端末２へデータ送信を行う以外は、複数のパソコン３−１〜３−５へ通常送信する送信データ１００を送信するという通常動作になる。
【００４８】
携帯電話端末２はパソコン１から受信した送信データ１００を、まず、メモリ部２１に一時保存する。携帯電話端末２は識別コードを選択するために、パソコン１から送信される前あるいは送信された後に受光機４−１〜４−５の識別コードを選択するため、図４及び図５に示すように、図示せぬディスプレイ上に受光機４−１〜４−５へ発光するための設定画面を表示し、ユーザにその設定を行わせる。
【００４９】
図４は携帯電話端末２のディスプレイ上での設定画面の遷移図であり、まず、ユーザはリモコンのモード設定を行い（図４のＡ１）、通常のリモコンモード（ａ：通常リモコン）であるか、情報転送モード（ｂ：情報転送）であるかの選択を行う。ここで、本実施例の場合、情報転送モードを選択する。
【００５０】
次に、ユーザは送信方法を選択するが（図４のＡ２）、ここでは、１回送信（ａ：１回送信）とプログラム送信（ｂ：プログラム送信）とがあり、１回送信は携帯電話端末２に送信された情報をそのまま１回送信する場合に使用し、プログラム送信は携帯電話端末２に送信された情報をプログラムによって、同じ情報に異なる情報を付加して数回送信したり、複数の携帯電話端末２へ送信された情報を連続で送信する場合に使用する。
【００５１】
１回送信を選択した場合、ユーザは受光部４−１〜４−５の識別コード（ａ：Ａ−１，ｂ：Ａ−２，・・・）を選択する（図４のＡ３）。ここでは、受光させたい受光機４−１〜４−５の識別コードを選択し、例えばａ：Ａ−１を選択すると、転送状態待ち受け中の画面（図４のＡ５）に遷移する。
【００５２】
また、プログラム送信を選択した場合、ユーザはプログラム編集画面（図４のＡ４、図５のＢ１）へ遷移する。このプログラム編集画面において、まず、ユーザは編集したいプログラム番号（ａ：転送情報１回目，識別コードＡ−１、ｂ：転送情報２回目，識別コードＡ−１、ｃ：転送情報３回目，識別コードＡ−２、・・・）にカーソルを合わせ、編集を押下する。
【００５３】
次に、ユーザは携帯電話端末２に送信された何回目の情報にどの識別コード（ａ：Ａ−１，ｂ：Ａ−２，・・・）を付加するかの設定（図５のＢ２）を行う。これによって、携帯電話端末２のディスプレイ上ではプログラム編集画面（図５のＢ３）へ遷移する。
【００５４】
ユーザは使用したいプログラムをすべて選択し、プログラム設定を完了させると、プログラム編集が完了する。携帯電話端末２のディスプレイ上ではユーザのプログラム設定が完了すると、転送情報待ち受け中の画面（図４のＡ５）に偏移する。
【００５５】
携帯電話端末２は以上の設定がディスプレイ上で行われ、識別コードが選択されると、メモリ部２１に一時保存している送信データ１００を変換部２２に送り、選択された識別コード、ヘッダ部、ストップ部を送信データ１００に追加し、例えばヘッダ部、識別コード、送信データ１００、ストップ部のように並べ替え、送信データ１１０として発光部２３に送って、発光部２３から発光させる。
【００５６】
受光機４−１〜４−５では、まず、受光部４１でヘッダ部からストップ部まで受光した送信データ１１０をメモリ部４２に一時保存し（図６ステップＳ１）、送信データ１１０を比較部４３に送る（図６ステップＳ２）。比較部４３は送信データ１１０の信号コードが正しいかどうかの判定を２種類（判定１及び判定２）行う（図６ステップＳ３，Ｓ５）。この場合、比較部４３は、送信データ１１０がヘッダ部、識別コード、送信データ１００、ストップ部の４つの部位に構成されるため、これらの各部位を利用して判定を行う。
【００５７】
比較部４３の判定は、受光機４−１〜４−５で受光した送信データ１１０が入力されると、判定１及び判定２の２つの判定条件が正になることによって、始めて正とする。
【００５８】
判定１の判定条件は、送信データ１１０の各コードの区間長が設定通りであるかどうかである。その判定部位としては、図７に示すように、送信データ１００が複数のパソコン３−１〜３−５に送信されるデータであり、設定不可能であるが、その他のヘッダ部のＨｉ区間及びＬｏ区間、識別コードのＨｉ区間及びＬｏ区間、ストップ部のＨｉ区間、それと送信データ１００からストップ部までの区間（送信データ１００のＬｏ区間）の区間長が携帯電話端末２と受光機４−１〜４−５との間だけでのコードであるため、任意に設定が可能である。
【００５９】
そのため、比較部４３はヘッダ部のＨｉ区間及びＬｏ区間、識別コードのＨｉ区間及びＬｏ区間、送信データ１００のＬｏ区間、ストップ部のＨｉ区間の区間長で判定を行う。比較部４３は送られてきた送信データ１１０と設定された部位との区間長を比較し、任意の誤差率内であれば正という判定を下し、範囲外であれば誤という判定を下す。
【００６０】
比較部４３は正という判断を下せば、判定２の判定条件へと移行する。比較部４３は誤という判定を下すと、ＬＥＤ部４４に誤の信号を送信し、誤のＬＥＤ色、例えば緑のＬＥＤを点灯させ、ユーザに正常に受信することができていないことを知らせる。
【００６１】
判定２の判定条件は、送信データ１１０の各部位の順序が正しいかどうかである。比較部４３はヘッダ部、識別コード部、送信データ１００、ストップ部それぞれの順序が正しいかどうかを比較判定し、ヘッダ部、識別コード部、送信データ１００、ストップ部の並びが正であるという判定を下せば、ＬＥＤ部４４に正の信号を送信し、正のＬＥＤ色、例えば青のＬＥＤを点灯させ、ユーザに正常に受信することができていることを知らせる。
【００６２】
すなわち、比較部４３は判定１及び判定２が誤であれば、ＬＥＤ部４４を緑に点灯させ（図６ステップＳ４，Ｓ６）、判定１及び判定２が正であれば、ＬＥＤ部４４を青に点灯させる（図６ステップＳ７）。
【００６３】
比較部４３は正しい送信データ１１０を受光した場合、その送信データ１１０を変換部４５へ送信し、変換部４５は送信データ１１０から識別コード、ヘッダ部、ストップ部を削除して送信データ１００のみに変換して送信部４６に送る（図６ステップＳ８）。送信部４６はその送信データ１００を複数のパソコン３−１〜３−５に送信する。以上の動作が受光機４−１〜４−５の一連の流れになる。
【００６４】
一方、携帯電話機２からの送信データ１１０の受光すらできてない場合には、ＬＥＤ部４４が通常点灯色、例えば赤のまま変化せず、ユーザには送信データ１１０の受光をもできていないことを知らせる。本実施例では、この機能を用いることによって、赤外線リモコン送信をより確実にすることができる。
【００６５】
変換部４５に送信された送信データ１１０は、変換部４５によってヘッダ部、識別コード部、ストップ部を除去し、送信データ１００のみに変換し、変換した送信データ１００を送信部４６に送る。送信部４６は複数のパソコン３−１〜３−５の接続ケーブルへ送信する。複数のパソコン３−１〜３−５は送信データ１００を受信すると、従来の有線で行う送信データを、受光機４−１〜４−５から受信しただけであるので、従来の処理を行い、情報を取得する。
【００６６】
このように、本実施例では、携帯電話端末２をワイヤレス機器の発光側として使用し、受光機４−１〜４−５でワイヤレス通信を行うことによって、一度に複数の受信機４−１〜４−５に対して送信が可能となる。
【００６７】
また、本実施例では、上述した方法を使用することによって、赤外線通信のようなフォーマットの統一することなく、様々なメーカの携帯電話端末で使用することが可能となる。
【００６８】
さらに、本実施例では、受光機４−１〜４−５に比較機能（比較部４３）を備え、その判定結果をＬＥＤ部４４を用いて表示することによって、より確実な赤外線リモコン送信を可能にし、正常に受光することができたかどうかをＬＥＤ部４４の色によってユーザに知らせることが可能となる。
【実施例２】
【００６９】
次に、本発明の他の実施例について説明する。尚、本発明の他の実施例による赤外線リモコンシステムは図１に示す本発明の実施の形態による赤外線リモコンシステムと同様の構成となっており、本発明の他の実施例による携帯電話機２及び受光機４−１〜４−５は図２及び図３に示す本発明の一実施例による携帯電話機２及び受光機４−１〜４−５と同様の構成となっている。
【００７０】
上述した本発明の一実施例の説明では、パソコン１の情報を複数のパソコン３−１〜３−５すべてにパソコン１の情報を送信したが、ＴＶ（テレビ）等のその他の機器と競合しないように識別コードを設けているが、この識別コードを受光機４−１〜４−５側でも設定可能にすることによって、例えばパソコン３−１〜３−５のうち、パソコン３−１、３−２、３−３、３−５に送信可能とし、パソコン４−４には送信不可能にすることが可能である。
【００７１】
この原理は、識別コードが受光機側と合致していなければ発光を受付けないという原理で、追加の動作としては携帯電話端末２で設定する識別コードを受光させたい場合には、携帯電話端末２で設定した識別コードと同じ識別コードを設定し、受光させたくない場合には、携帯電話端末２で設定した識別コードと別の識別コードに設定するだけでよい。
【００７２】
そこで、携帯電話端末２が常にユーザに携帯されている点と、携帯電話端末２に赤外線リモコン機能が付いているという点を利用し、従来の技術で存在する赤外線リモコン機能機能付き携帯電話端末をワイヤレス機器の発光機に、そしてその機能に準拠した受光機４−１〜４−５との間でワイヤレス送信を行うことによって、赤外線通信では不可能であった一度に複数への送信が可能となる。
【産業上の利用可能性】
【００７３】
本発明では、１台のパソコンから複数のパソコンへのデータ送信を同時に行う場合について述べたが、オーディオ機能付き携帯電話機がその再生中の音楽データをリモコン送信することによって、受光機付きイヤホンを付けかつ受光することができた複数の人が、オーディオ付き携帯電話機で再生した曲を同時に聞く場合にも適用可能である。
【図面の簡単な説明】
【００７４】
【図１】本発明の実施の形態による赤外線リモートコントロールシステムの構成例を示すブロック図である。
【図２】本発明の一実施例による携帯電話端末の構成を示すブロック図である。
【図３】本発明の一実施例による受光機の構成を示すブロック図である。
【図４】図２の携帯電話端末のディスプレイ上での設定画面の遷移図である。
【図５】図２の携帯電話端末のディスプレイ上での設定画面の遷移図である。
【図６】図３の受光機の動作を示すフローチャートである。
【図７】図２及び図３の送信データ１１０の構成を示す波形図である。
【符号の説明】
【００７５】
１，３−１〜３−５  パーソナルコンピュータ
２  携帯電話端末
４，４−１〜４−５  受光機
２１，４２  メモリ部
２２，４５  変換部
２３  発光部
４１  受光部
４３  比較部
４４  ＬＥＤ部
４６  送信部
１００  パーソナルコンピュータからの送信データ
１１０  携帯電話機からの送信データ
【図１】
2005080140.tif 000003
【図２】
2005080140.tif 000004
【図３】
2005080140.tif 000005
【図４】
2005080140.tif 000006
【図５】
2005080140.tif 000007
【図６】
2005080140.tif 000008
【図７】
2005080140.tif 000009